(57)【要約】
【課題】　ポールが破損した場合でも修理が容易であり、しかも不使用時のポールの管理が容易で、ポールの盗難を防止でき、チェンの張り直しが不要なポール装置を提供することを課題とする。更には、ポールの挿入孔に水が溜まらず、掃除も容易なポール装置を提供する。
【解決手段】　先端部にチェン保持部(11)を有するポール(1)と、ポールの根本部(12)を挿入することにより該ポール(1)を立てた状態で保持することが可能なポール挿入孔(3)と該ポール(1)を倒した状態で該ポール(1)が地上に突出しないように収納可能なポール収納溝(5)を有した埋設体(2)とを備え、埋設体(2)とポール(1)の根本部(12)とは盗難防止用チェン(41)により結ばれている
【選択図】図５
0003100580.tif 000002
【実用新案登録請求の範囲】
【請求項１】
先端部にチェンを保持するためのチェン保持部を有するポールと、
　該ポールの根本部を挿入することにより該ポールを立てた状態で保持することが可能なポール挿入孔と該ポールを倒した状態で該ポールが地上に突出しないように収納可能なポール収納溝を有した埋設体とを備え、
　該埋設体と該ポールの根本部とは盗難防止用チェンにより繋がれている
　ことを特徴とするポール装置。
【請求項２】
前記埋設体の上面には該ポールを該ポール収納溝に収納した際に該ポールのチェン保持部の近傍となる箇所にチェン取出溝が形成されていることを特徴とする請求項１記載のポール装置。
【請求項３】
前記ポール挿入孔の内周には異物除去用のカップ状の網体が着脱可能に配されており、
　該ポール挿入孔の底部には水抜孔が設けられていることを特徴とする請求項１又は請求項２記載のポール装置。
【考案の詳細な説明】
【技術分野】
【０００１】
　本考案は、主に駐車場等でポールを立てて車両の往来を抑制するために用いられるポール装置に関するものである。
【背景技術】
【０００２】
　駐車場に無断で駐車されると迷惑であり、防犯上も好ましくない。そこで、駐車場に隣接する道路や土地から車両が侵入するのを防止するために地面にポールを立てることがある。このポールは侵入防止のみならず、所定の出入り口以外から車両が出ていくのを防止するにも用いられる。
【０００３】
　地上に複数のポールを立てただけでは車両の往来は抑制できても、人や二輪車の通行を抑制できないので、必要に応じてポール相互間にチェンを張ることのできるポールが多く用いられている。
【０００４】
　常に通行を禁止するような場合はポールを地面に直接固定して動かせないようにすればよいが、時と場合によっては車を出入りさせるような場所では必要時にポールを撤去又は収納可能なポール装置が用いられる。このような可動式のポール装置としては図６に示したような「引き抜き式（着脱式）」と、図７に示したような「地中埋設式（埋没式）」が一般的である。
【０００５】
　「引き抜き式」（図６参照）は、地面(10)に埋設した金属（ステンレス）製の挿入パイプ(33)にポール(31)を挿入して使用するタイプのものである。図中において(32)はチェンを通すループ、(34)は座金である。
【０００６】
　使用しないときにはポール(31)は挿入パイプ(33)から抜き取っておく。抜き取ったポール(31)は別の場所に保管せねばならず、保管場所を確保する必要がある。又、管理者は保管場所と設置場所との間でポール(31)を運ぶ必要があり、特にポール(31)の設置本数が多い場合には労力も時間も大きくなってしまう。そのため頻繁にポール(31)を動かす必要のある施設においては管理は容易ではない。
【０００７】
　又、ポール(31)を抜き取った後の挿入パイプ(33)には砂やゴミ等がたまりやすい。そのため、挿入パイプ(33)の開口部を塞ぐための蓋体(35)を別途取り付ける必要がある。
【０００８】
　更には、ポール(31)自体を抜き取って運べるという特徴が災いして、悪戯で抜き取られることや盗難にあうことが多い。
【０００９】
　又、複数のポール(31)間にチェンを張っている場合には、ポール(31)を抜き取る前にチェンを取り除く必要がある。そして、使用する度にチェンを張り直す必要があるので面倒である。
【００１０】
　一方「地中埋設式」（図７参照）はポール(21)を地中に埋設した金属（ステンレス）製の収納パイプ(23)の中に収納できるタイプである。図中において(22)はチェンを通すループ、(24)は座金である。尚、収納パイプ(23)としてステンレスが多用されるのは、主として錆びを防止するためである。
【００１１】
　使うときはポール(21)上部を掴んで引き上げ、地面(10)から突出させた状態でロック機構（図示せず）を利用して固定（ロック）することができる。
【００１２】
　ポール(21)を使用しない場合には地中の収納パイプ(23)内に収納すればよいので、別途ポール(21)を保管する場所は不要であり、ポール(21)を保管場所に持ち運ぶ手間も不要である。
【００１３】
　しかしながら、収納パイプ(23)とポール(21)との隙間には砂や埃や水が入りやすく、ポール(21)の上げ下げに支障を来すことがある。その場合でも、ポール(21)が邪魔になって収納パイプ(23)内の清掃をすることは困難である。しかもポール(21)が上がった状態で固定するためのロック機構を有しているため、ポール(21)を簡単に取り外すことができない。したがって、収納パイプ(23)内を綺麗に清掃するためには一旦、解体してポール(21)を収納パイプ(23)から取り除く必要があり、大変な手間が必要となる。
【００１４】
　又、ポール(21)使用中に収納パイプ内(23)に雨水が浸入すると、ポール(21)を収納する際に収納パイプ(23)内に溜まった水が、ポール(21)に押し出されてポール(21)と収納パイプ(23)との隙間から勢いよく吹き出し、作業者の衣服や靴を汚してしまうこともある。
【００１５】
　ところで、駐車に失敗した車両がポール接触した場合や、悪戯でポールが蹴られた様な場合、いずれのタイプであっても衝撃の程度によってはポールは曲がってしまう。
【００１６】
　この場合、地中埋設式の場合は地中の収納パイプ(23)内にポール(21)を収納することができなくなってしまう。修理するためには、一旦埋まっている収納パイプ(23)ごと取り出して全て交換することになるので手間も費用の負担が大きくなる。
【００１７】
　又、引き抜き式の場合でも衝撃が小さな場合には変形したポール(31)のみを交換すれば済むが、衝撃が大きな場合には埋めている挿入パイプ(33)まで変形が及び、挿入パイプ(33)ごと交換しなければならず大きな手間や費用がかかる。
【特許文献１】特開２００３−８２８７７号公報
【考案の開示】
【考案が解決しようとする課題】
【００１８】
　そこで本考案は車両の衝突などによりポールが変形した場合でも修理が容易であり、しかも不使用時のポールの管理が容易で、ポールの盗難を防止でき、チェンの張り直しが不要なポール装置を提供することを課題とする。更には、ポールの挿入孔に水が溜まらず、掃除も容易なポール装置を提供することを課題とする。
【課題を解決するための手段】
【００１９】
　本考案の請求項１記載のポール装置は、先端部にチェン(40)を保持するためのチェン保持部(11)を有するポール(1)と、該ポール(1)の根本部(12)を挿入することにより該ポール(1)を立てた状態で保持することが可能なポール挿入孔(3)と該ポール(1)を倒した状態で該ポール(1)が地上に突出しないように収納可能なポール収納溝(5)を有した埋設体(2)とを備え、該埋設体(2)と該ポール(1)の根本部(12)とは盗難防止用チェン(41)により繋がられていることを特徴とする。
【００２０】
　これによれば、ポール(1)を使用する際にはポール(1)の根本部(12)を埋設体(2)のポール挿入孔(3)に挿入して立たせることができる。使用しない場合はポール(1)をポール挿入孔(3)から抜き取って倒した状態でポール収納溝(5)に収納することができる。ポール(1)は収納した状態では地上に突出しないので邪魔にならない。そして、ポール(1)の根本部(12)と埋設体(2)とは盗難防止用チェン(41)と繋がれているのでポール(1)だけ持ち去られることはない。又、ポール(1)が破損した場合はポール(1)のみを交換することで容易且つ安価に修理することができる。
【００２１】
　請求項２記載のポール装置は請求項１のポール装置において、前記埋設体(2)の上面には該ポール(1)を該ポール収納溝(5)に収納した際に該ポール(1)のチェン保持部(11)の近傍となる箇所にチェン取出溝(4)が形成されていることを特徴とする。
【００２２】
　これによれば、ポールをポール収納溝(5)に収納した際に、ポール(1)のチェン保持部(11)に保持されているチェン(40)はチェン取出溝(4)を通って地面にスムーズに導かれる。そのため、ポール収納溝(5)の上方角とチェン(40)とが干渉してチェン(40)が地面上に盛り上がってしまうようなこと防止できる。
【００２３】
　請求項３記載のポール装置は請求項１又は請求項２のポール装置において、前記ポール挿入孔(3)の内周には異物除去用のカップ状の網体(6)が着脱可能に配されており、該ポール挿入孔(3)の底部には水抜孔(9a)が設けられていることを特徴とする特徴とする。
【００２４】
　これによれば、ポール挿入孔(3)内に砂利やゴミ等の異物が入っても、網体(6)を取り出すことにより異物をポール挿入孔(3)から取り出して捨てることができる。そのため、清掃のメンテナンスが極めて容易となる。又、ポール挿入孔(3)内に入った雨水は網体(6)を透過してポール挿入孔(3)の底部に設けられている水抜孔(9a)から地中に排出されるため、ポール挿入孔(3)内に水が溜まることがない。
【考案の効果】
【００２５】
　本考案のポール装置は使用しない時にはポールを横に倒して収納溝に収納し地面上に突出させないようにさせることができるので、ポールを収納した状態で車両の通過や人の往来を妨げない。ポールはチェンを付けたままの状態で収納できるので使用の度にチェンを張りなおさなくてよい。又、別途ポールを保管する場所が必要なく、ポールを運ぶ必要もない。更には網体や水抜孔によりメンテナンスも容易となる。
【００２６】
　ポールと埋設体とは盗難防止チェンで繋がれているのでポールの盗難を防止することができる。又、衝突等でポールが破損した場合でもポールを交換するだけでよいので、修理が容易である。
【考案を実施するための最良の形態】
【００２７】
　以下、本考案を好適な実施例を用いて説明する。
【実施例】
【００２８】
　図１は本実施例に用いるポール(1)の一例を示した図であり、(A)は正面図、(B)は左側面図である。
【００２９】
　ポール(1)の上端部にはチェン保持部(11)が形成されている。チェン保持部(11)としてはチェンを貫通させるループ又はチェン端を係止するフック等が一般的であるが、チェンを保持できるのであれば、その形式は問わない。(12)はポール(1)の根本部であり、後述する盗難防止チェン(41)を係止する盗難防止チェン係止部(15)を有している。
【００３０】
　図２は駐車場などの地面に埋設する埋設体(2)を説明する図であり、正面方向から見た図となっている。又、図３は埋設体(2)を上方から見た図である（図３においては、わかりやすくするためにポール(1)は記載していない）。この埋設体(2)はコンクリートでできており、上面が設置する地面(10)と略面一となるように設置される。つまり設置された状態では上面のみが露出することとなる。
【００３１】
　埋設体(2)は重量が大きいため（約130kg）、設置する際にはクレーン等で吊り下げる。埋設体(2)の両端にはボルトを取り付け可能なインサート穴(7a)，(7b)が設けられており、吊り下げる際にはインサート穴(7a)，(7b)に吊り下げ金具（図示せず）を取り付け、そこにワイヤーやフック等を取り付けて吊り上げるとよい。
【００３２】
　埋設体(2)の一方の端部付近にはポール(1)の根本部(12)を挿入するためのポール挿入孔(3)が設けられている。ポール挿入孔(3)の内側には網体(6)が配されている。網体(6)は単なる筒状ではなく底部を有しており全体としてカップ状となっている。そしてポール(1)をポール挿入孔(3)に挿入するとポール(1)の根本部の外周部が網体(6)と接することとなる。
【００３３】
　この網体(6)の役割は、ポール挿入孔(3)に入った砂利やゴミ等の異物を取り出して捨てることにある。ポール挿入孔(3)に砂利等が入っても、ポール挿入孔(3)の内側に配された網体(6)を取り出すだけで異物を外部に取り出すことができる。そして、網体(6)中の異物を捨てて、空になった網体(6)を再度ポール挿入孔(3)の中に挿填しておくだけで良いので掃除が極めて簡単である。又、ポール挿入孔(3)の中に入った雨水は網体(6)を通り抜けてポール挿入孔(3)底部に設けられた水抜孔(9a)を通って地中に排出される。
【００３４】
　ポール(1)を立てると図５に示したような状態となり、車両の出入りができないようにすることができる。複数のポール装置を使ってポール相互間にチェンが張られている状態にすれば、人や自転車，バイク等の侵入を防ぐこともできる。
【００３５】
　ポール(1)を使用しない場合には、ポール(1)はポール挿入穴(2)から抜き取って横に倒し、埋設体(2)の上面に設けられているポール収納溝(5)内に収納することができる。図４は埋設体(2)にチェン(40)が取り付けられたポール(1)を収納した状態を上方から見た図である。ポール収納溝(5)はポール(1)を使用しない時に収納しておくために設けられており、深さや幅はポール(1)の径よりも少し大きい程度となっている。そのため、収納されたポール(1)は地面より上に突出しない。
【００３６】
　このポール収納溝(5)も底部付近に水抜孔(9b)を有しており、ポール収納溝(5)に入った雨水は水抜孔(9b)を通って地中に排出される。
【００３７】
　ポール(1)の根本部(12)には盗難防止チェン(41)の一端を取り付ける盗難防止チェン係止部(15)が設けられている。盗難防止チェン(41)の他端はインサート穴(7a)に取り付けられた盗難防止チェン係止部(8)に係止される。
【００３８】
　つまり、インサート穴(7a)は埋設体(2)吊り下げの際に吊り下げ金具を取り付けると共に、埋設体(2)の設置後は盗難防止チェン(41)を固定するためにも用いられる。盗難防止チェン係止部(8)の形状は盗難防止チェン(41)の端を固定できるのであれば特に限定されるものではなく、例えばボルトでも良いし専用の金具でも良い。
【００３９】
　このようにポール(1)は盗難防止チェン(41)により埋設体(2)に繋がれるため、悪戯や盗難等でポール(1)のみが持ち去られることを防止することができる。ポール(1)は立てた状態であってもポール収納溝(5)に収納された状態であっても盗難防止チェン(41)により埋設体(2)に繋がれたままである。
【００４０】
　ポール(1)の根本部(12)は一部が板状(13)となっており、その両側に空間が形成されている。そのためポール根本部(12)をポール挿入孔(3)に差し入れる際には盗難防止チェン(41)は板状部(13)横の空間に位置することとなり、ポール挿入孔(3)とは干渉しない。尚、図中(14)は盗難防止チェン(41)を盗難防止チェン係止部(15)に取り付けやすくするために設けられている切り欠きである。
【００４１】
　ポール(1)を収納する際はチェン(40)はポール(1)に保持させたままで良い。又、ポール(1)を立てる際にもチェン(40)を付けたままの状態で立てていくことができる。これにより駐車場等の施設管理者はチェン(40)の片付けや張り直しの手間から開放され、管理が大変楽になる。
【００４２】
　一部のポール(1)を倒すと、立っているポールとの間でチェン(40)は引っ張られることになるが、チェン(40)は十分な長さのものが余裕を持って（弛むように）張られているため作業にあまり支障はない。
【００４３】
　尚、ポール(1)を収納する作業をする際には隣接するポールを順に収納していくと効率がよい。同様に立てる際にも隣接するポール(1)を順に立てていくとスムーズに作業することができる。
【００４４】
　チェン(40)を付けたままの状態でポール(1)を倒して収納した場合、チェン(40)は地面上に置かれたような状態となるが、その上を車両や人が踏んで出入りすることができる。更に、埋設体(2)の上面には収納したポール(1)のチェン保持部(11)近傍箇所にチェン取出溝(4)が設けられており、チェン(40)は埋設体(2)の上縁と干渉せず、地面(10)から必要以上に盛り上がってしまうことはない。
【００４５】
　又、盗難防止チェン(41)もポール根本部(12)の板状部(13)の横に形成されている空間内に収まり地面(10)より上に突出しない。更に、ポール根本部(12)には切り欠き(14)が設けられており盗難防止チェン(41)の端部と板状部(13)とが干渉することを防ぐことができるので盗難防止チェン係止部(15)に取り付けられた盗難防止チェン(41)の端部が地面(10)から突出することもない。
【００４６】
　車両の衝突等でポール(1)が破損した場合には、ポール(1)と埋設体(2)とを繋いでいる盗難防止チェン(41)の少なくとも一方かの端を工具で外し、ポール(1)と埋設体(2)との連結を解除する。そして、新しいポールと交換して盗難防止チェン(41)を取り付けるだけで修理が完了する。したがって、修理に要する費用も手間も少なくなる。尚、埋設体(2)はコンクリートから成り強固であるので、それ自体が破損することは殆ど考えられない。
【００４７】
　尚、本実施例では採用していないが、必要なら施設管理者に無断でポール(1)を立てたり収納したりされないように、鍵がかかるロック機構を設けてポール(1)の状態を維持できるようにしても良い。
【産業上の利用可能性】
【００４８】
　本考案は駐車場のような車両の侵入防止だけではなく人や自転車の侵入防止や整列のためにも利用することができる。
【図面の簡単な説明】
【００４９】
【図１】実施例のポールを示した図。
【図２】実施例の埋設体を示した図（側面）。
【図３】実施例の埋設体を示した図（平面）。
【図４】実施例を示した図（ポールを収納した状態）
【図５】実施例を示した図（ポールを立てた状態）
【図６】従来例（地中埋設式）を示した図。
【図７】従来例（引き抜き式）を示した図。
【符号の説明】
【００５０】
　１　　ポール
　２　　埋設体
　３　　挿入孔
　４　　チェン取出溝
　５　　ポール収納溝
　６　　カップ状網体
　７ａ、７ｂ　インサート孔
　８　　埋設体の盗難防止チェン係止部
　９ａ、９ｂ　水抜孔
　１０　地面
　１１　ポールのチェン用ループ
　１２　ポール根本部
　１３　ポール根本部の板状部
　１４　ポール根本部の切り欠き
　１５　ポール根本部の盗難防止チェン係止部
　４０　チェン
　４１　盗難防止チェン
【図１】
0003100580.tif 000003
【図２】
0003100580.tif 000004
【図３】
0003100580.tif 000005
【図４】
0003100580.tif 000006
【図５】
0003100580.tif 000007
【図６】
0003100580.tif 000008
【図７】
0003100580.tif 000009